(57)【要約】【課題】複数種類の接続機器をより少ない端子で検出し、かつ汎用的に接続・使用することができる変換アダプタ、電子機器、及び電子機器システムを提供すること。【解決手段】変換アダプタ１００は、ヘッドセット３１０，３２０に接続可能な第１及び第２の入力端子１２１，１２２がグランドに接続された場合、電子機器２００に接続可能な出力端子１４１とグランドとの間の抵抗値を、ステレオヘッドセット接続を示す第１の抵抗値とし、第１の入力端子１２１がグランドに接続され、第２の入力端子１２２がどこにも接続されない場合、出力端子１４１とグランドとの間の抵抗値を、第１の抵抗値より大きく、モノラルヘッドセット接続を示す第２の抵抗値とし、第１及び第２の入力端子１２１，１２２がどこにも接続されない場合、出力端子１４１とグランドとの間を、ヘッドセットの未接続を示す開放とする。【選択図】図２
2011223313.tif 000002
【特許請求の範囲】
【請求項１】
ステレオ又はモノラルのヘッドセットに接続可能な音声出力端子と、
前記ヘッドセットに接続可能な第１及び第２の入力端子と、
電子機器に接続可能であり、かつ前記音声出力端子に接続された音声入力端子と、
前記電子機器に接続可能な出力端子と、を備え、
前記第１及び第２の入力端子がグランドに接続された場合、前記出力端子とグランドとの間の抵抗値を、ステレオヘッドセット接続を示す第１の抵抗値とし、
前記第１の入力端子がグランドに接続され、前記第２の入力端子がどこにも接続されない場合、前記出力端子とグランドとの間の抵抗値を、前記第１の抵抗値より大きく、モノラルヘッドセット接続を示す第２の抵抗値とし、
前記第１及び第２の入力端子がどこにも接続されない場合、前記出力端子とグランドとの間を、ヘッドセットの未接続を示す開放とする変換アダプタ。
【請求項２】
請求項１に記載の変換アダプタであって、
前記第１の抵抗値は、２８７ｋΩの±５％以内であり、
前記第２の抵抗値は、７９７ｋΩの±５％以内である変換アダプタ。
【請求項３】
請求項１又は請求項２に記載の変換アダプタであって、
前記第１の抵抗値をＲｓｔとし、前記第２の抵抗値をＲｍｏとし、
一端が前記第１の入力端子に接続され、他端が前記出力端子に接続された抵抗値Ｒ１の第１抵抗器と、
一端が前記第２の入力端子に接続され、他端が前記出力端子に接続された抵抗値Ｒ２の第２抵抗器と、を備え、
Ｒｓｔ＝（Ｒ１×Ｒ２）／（Ｒ１＋Ｒ２）
Ｒｍｏ＝Ｒ１
である変換アダプタ。
【請求項４】
請求項１又は請求項２に記載の変換アダプタであって、
前記第１の抵抗値をＲｓｔとし、前記第２の抵抗値をＲｍｏとし、
一端が前記第１の入力端子に接続され、抵抗値Ｒ３の第３抵抗器と、
一端が前記第２の入力端子に接続され、抵抗値Ｒ４の第４抵抗器と、
一端が前記出力端子に接続され、抵抗値Ｒ５の第５抵抗器と、を備え、
前記第３抵抗器の他端、前記第４抵抗器の他端、及び前記第５抵抗器の他端が接続され、
Ｒｓｔ＝Ｒ５＋（Ｒ３×Ｒ４）／（Ｒ３＋Ｒ４）
Ｒｍｏ＝Ｒ５＋Ｒ３
である変換アダプタ。
【請求項５】
請求項１又は請求項２に記載の変換アダプタであって、
スイッチに接続可能な第３の入力端子を備え、
前記第３の入力端子が、前記スイッチの操作によってグランドに接続された場合、前記出力端子とグランドとの間の抵抗値を、前記第１の抵抗値より小さく、前記スイッチの操作を示す第３の抵抗値とする変換アダプタ。
【請求項６】
請求項５に記載の変換アダプタであって、
前記第３の抵抗値は、４７ｋΩの±５％以内である変換アダプタ。
【請求項７】
請求項５又は請求項６に記載の変換アダプタであって、
前記第１の抵抗値をＲｓｔとし、前記第２の抵抗値をＲｍｏとし、前記第３の抵抗値をＲｓｗとし、
一端が前記第１の入力端子に接続され、抵抗値Ｒ３の第３抵抗器と、
一端が前記第２の入力端子に接続され、抵抗値Ｒ４の第４抵抗器と、
一端が前記出力端子に接続され、抵抗値Ｒ５の第５抵抗器と、を備え、
前記第３抵抗器の他端、前記第４抵抗器の他端、前記第５抵抗器の他端、及び前記第３の接続端子が接続され、
Ｒｓｔ＝Ｒ５＋（Ｒ３×Ｒ４）／（Ｒ３＋Ｒ４）
Ｒｍｏ＝Ｒ５＋Ｒ３
Ｒｓｗ＝Ｒ５
である変換アダプタ。
【請求項８】
請求項３に記載の変換アダプタであって、
前記Ｒ１は、７９７ｋΩの±５％以内であり、
前記Ｒ２は、４４９ｋΩの±５％以内である変換アダプタ。
【請求項９】
請求項４又は請求項７に記載の変換アダプタであって、
前記Ｒ３は、７５０ｋΩの±５％以内であり、
前記Ｒ４は、３５３ｋΩの±５％以内であり、
前記Ｒ５は、４７ｋΩの±５％以内である変換アダプタ。
【請求項１０】
請求項１から請求項９のいずれか一項に記載の変換アダプタに接続可能な電子機器であって、
前記出力端子に接続可能な抵抗値入力端子と、
前記音声入力端子に接続可能であり、かつ音声信号を出力する音声信号出力端子と、を備え、
前記抵抗値入力端子において前記第１の抵抗値を検出する場合、前記音声信号出力端子にステレオ信号を出力し、
前記抵抗値入力端子において前記第２の抵抗値を検出する場合、前記音声信号出力端子にモノラル信号を出力する電子機器。
【請求項１１】
請求項５、請求項６、請求項７、及び請求項９のいずれか一項に記載の変換アダプタに接続可能な電子機器であって、
前記スイッチの操作によって、前記音声入力端子へ出力する音声信号を変化させる電子機器。
【請求項１２】
請求項１０又は請求項１１に記載の電子機器であって、
ＵＳＢ規格の接続コネクタを備え、
前記抵抗値入力端子及び前記音声信号出力端子は、前記接続コネクタの接続ピンに割り当てられた電子機器。
【請求項１３】
請求項１から請求項９のいずれか一項に記載の変換アダプタと、請求項１０から請求項１２のいずれか一項に記載の電子機器と、を備える電子機器システム。
【発明の詳細な説明】
【技術分野】
【０００１】
本発明は、変換アダプタ、電子機器、及び電子機器システムに関する。
【背景技術】
【０００２】
携帯電話機、携帯型音楽プレーヤ等の電子機器には、ＵＳＢコネクタに、ヘッドセット等の様々な外部機器が接続可能に構成されているものがある。電子機器は、他の機器が接続されたときに、どの機器が接続されたかを判別し、判別した結果によって電子機器の内部で適切な処理を行う必要がある。
【０００３】
特許文献１には、携帯情報端末とオーディオ機器とを接続するための変換ケーブルが記載されている。特許文献１に記載の変換ケーブルは、携帯情報端末に接続するための接続プラグからの信号を伝達する信号線を内蔵したケーブルと、接続プラグに接続され、ケーブルと一体に形成されたアンテナ線と、高周波電流を遮断する高インピーダンス手段を介してケーブルに接続され、オーディオ機器に接続される接続ジャックとを備える。
【０００４】
特許文献２には、複数の機器の接続を判別することが可能な電子機器が記載されている。特許文献２に記載の電子機器は、抵抗と、他の装置と接続されるコネクタと、抵抗の抵抗値と、コネクタに接続された他の装置に含まれる抵抗の抵抗値とによって複数の装置を検知し、複数のパラメータを制御する検知部とを備える。具体的には、電子機器側では、リファレンス電圧ＶＲＥＦに接続された抵抗を経由してＡＤポートに接続する。接続機器側は抵抗を用いてグランドにプルダウンする。外部機器側のプルダウン抵抗の抵抗値を、接続機器の種類によって変化させることで、電子機器は、抵抗値を測定することにより、コネクタに接続された接続機器の識別を行うことができる。コネクタの１端子を用いて複数の接続機器の種別を判別することができ、コネクタの端子数を削減し、機器の小型化を実現することができる。
【先行技術文献】
【特許文献】
【０００５】
【特許文献１】特開２００８−０９９１１７号公報
【特許文献２】特開２００８−０９７２９８号公報
【発明の概要】
【発明が解決しようとする課題】
【０００６】
しかしながら、このような従来の電子機器にあっては、コネクタの１端子の抵抗値のみを用いて接続機器を識別するので、接続機器側では機器の種類に合わせてそれぞれのプルダウン抵抗を持つ必要がある。このため、電子機器は、汎用的に複数の接続機器を接続・使用することはできない。例えば、電子機器は、マイクロＵＳＢ規格の接続コネクタ向けにヘッドセットなどは使用することができない。
【０００７】
本発明の目的は、複数種類の接続機器をより少ない端子で検出し、かつ汎用的に接続・使用することができる変換アダプタ、電子機器、及び電子機器システムを提供することである。
【課題を解決するための手段】
【０００８】
本発明の変換アダプタは、ステレオ又はモノラルのヘッドセットに接続可能な音声出力端子と、前記ヘッドセットに接続可能な第１及び第２の入力端子と、電子機器に接続可能であり、かつ前記音声出力端子に接続された音声入力端子と、前記電子機器に接続可能な出力端子と、を備え、前記第１及び第２の入力端子がグランドに接続された場合、前記出力端子とグランドとの間の抵抗値を、ステレオヘッドセット接続を示す第１の抵抗値とし、前記第１の入力端子がグランドに接続され、前記第２の入力端子がどこにも接続されない場合、前記出力端子とグランドとの間の抵抗値を、前記第１の抵抗値より大きく、モノラルヘッドセット接続を示す第２の抵抗値とし、前記第１及び第２の入力端子がどこにも接続されない場合、前記出力端子とグランドとの間を、ヘッドセットの未接続を示す開放とする構成を採る。
【０００９】
本発明の電子機器は、上記変換アダプタに接続可能な電子機器であって、前記出力端子に接続可能な抵抗値入力端子と、前記音声入力端子に接続可能であり、かつ音声信号を出力する音声信号出力端子と、を備え、前記抵抗値入力端子において前記第１の抵抗値を検出する場合、前記音声信号出力端子にステレオ信号を出力し、前記抵抗値入力端子において前記第２の抵抗値を検出する場合、前記音声信号出力端子にモノラル信号を出力する構成を採る。
【００１０】
本発明の電子機器システムは、上記変換アダプタと、上記電子機器と、を備える構成を採る。
【発明の効果】
【００１１】
本発明によれば、複数種類の接続機器をより少ない端子で検出し、かつ汎用的に接続・使用することができる変換アダプタ、電子機器、及び電子機器システムを実現することができる。
【図面の簡単な説明】
【００１２】
【図１】本発明の実施の形態１に係る変換アダプタを備える電子機器システムを模式的に示す斜視図
【図２】上記実施の形態１に係る変換アダプタの構成を示す回路図
【図３】本発明の実施の形態２に係る変換アダプタの構成を示す回路図
【発明を実施するための形態】
【００１３】
以下、本発明の実施の形態について図面を参照して詳細に説明する。
【００１４】
（実施の形態１）
図１は、本発明の実施の形態１に係る変換アダプタを備える電子機器システムを模式的に示す斜視図である。本実施の形態は、電子機器とヘッドセットを接続する変換アダプタに適用した例である。
【００１５】
図１に示すように、電子機器システムは、変換アダプタ１００と、変換アダプタ１００に接続可能な電子機器２００とを備える。
【００１６】
変換アダプタ１００は、電子機器２００と接続機器３００とを接続する。変換アダプタ１００は、本体１００ａにマイクロＵＳＢ規格の接続コネクタ１０１が設置され、ケーブル１０２を介して、接続機器３００の接続のための角型コネクタ１０３が取付けられる。なお、後述する実施の形態２では、接続機器には、スイッチ５１１，５２１（図３参照）が設けられる。
【００１７】
電子機器２００は、携帯電話機／ＰＨＳ（Personal Handy-Phone System）、携帯型音楽プレーヤ等の携帯機器である。また、電子機器２００は、ＰＤＡ（Personal Digital Assistants：携帯情報端末）、携帯ゲーム機などの携帯機器に適用できる。
【００１８】
接続機器３００は、電子機器２００に接続可能な外部機器、例えばステレオヘッドセット３１０、モノラルヘッドセット３２０である。
【００１９】
ステレオヘッドセット３１０は、角型コネクタ３１１と、ステレオイヤホン３１２と、イヤホンマイク３１３とを備える。角型コネクタ３１１は、変換アダプタ１００の角型コネクタ１０３に接続可能である。
【００２０】
同様に、モノラルヘッドセット３２０は、角型コネクタ３２１、モノラルイヤホン３２２２と、イヤホンマイク３２３とを備える。角型コネクタ３２１は、変換アダプタ１００の角型コネクタ１０３に接続可能である。
【００２１】
角型コネクタ３１１と３２１は、同一形状であり、ステレオヘッドセット３０１、又はモノラルヘッドセット３０２のいずれかを、変換アダプタ１００の角型コネクタ１０３に接続可能である。
【００２２】
図２は、上記変換アダプタ１００の構成を示す回路図である。図２（ａ）は、変換アダプタ１００にステレオヘッドセット３１０を接続した場合、図２（ｂ）は、変換アダプタ１００にモノラルヘッドセット３２０を接続した場合の構成例である。
【００２３】
図２に示すように、変換アダプタ１００は、ステレオヘッドセット３１０又はモノラルヘッドセット３２０に接続可能な音声出力端子１１１，１１２と、イヤホンマイク３１３，３２３に接続可能なマイク入力端子１１３と、ステレオヘッドセット３１０又はモノラルヘッドセット３２０に接続可能な第１の入力端子１２１及び第２の入力端子１２２とを備える。
【００２４】
また、変換アダプタ１００は、電子機器２００に接続可能であり、かつ音声出力端子１１１，１１２に接続された音声入力端子１３１，１３２と、イヤホンマイク３１３，３２３に接続可能なマイク出力端子１３３と、電子機器２００に接続可能な出力端子１４１とを備える。
【００２５】
上記音声出力端子１１１，１１２、マイク入力端子１１３、第１の入力端子１２１及び第２の入力端子１２２は、接続機器３００の接続のための角型コネクタ１０３の接続端子である。
【００２６】
上記音声入力端子１３１，１３２、マイク出力端子１３３、及び出力端子１４１は、電子機器２００の接続のための接続コネクタ１０１の接続端子である。接続コネクタ１０１は、マイクロＵＳＢコネクタなど、少ないピン数（例えば５ｐｉｎ）の接続端子を有する。
【００２７】
変換アダプタ１００は、第１の入力端子１２１及び第２の入力端子１２２がグランドに接続された場合、出力端子１４１とグランドとの間の抵抗値を、ステレオヘッドセット接続を示す第１の抵抗値とし、第１の入力端子１２１がグランドに接続され、第２の入力端子１２２がどこにも接続されない場合、出力端子１４１とグランドとの間の抵抗値を、第１の抵抗値より大きく、モノラルヘッドセット接続を示す第２の抵抗値とし、第１の入力端子１２１及び第２の入力端子１２２がどこにも接続されない場合、出力端子１４１とグランドとの間を、ヘッドセットの未接続を示す開放とする。
【００２８】
変換アダプタ１００は、一端が第１の入力端子１２１に接続され、他端が出力端子１４１に接続された抵抗値Ｒ１の第１抵抗器１５１と、一端が第２の入力端子１２２に接続され、他端が出力端子１４１に接続された抵抗値Ｒ２の第２抵抗器１５２とを備える。
【００２９】
変換アダプタ１００は、第１の抵抗値をＲｓｔとし、第２の抵抗値をＲｍｏとすると、以下の関係がある。
【００３０】
Ｒｓｔ＝（Ｒ１×Ｒ２）／（Ｒ１＋Ｒ２）
Ｒｍｏ＝Ｒ１
本発明者によるシミュレーションによれば、変換アダプタ１００は、第１の抵抗値が、２８７ｋΩの±５％以内であり、第２の抵抗値が、７９７ｋΩの±５％以内であることが好ましいことが検証された。また、変換アダプタ１００は、Ｒ１が、７９７ｋΩの±５％以内であり、Ｒ２が、４４９ｋΩの±５％以内であることが好ましいことが検証された。因みに、Ｒ２の４４９ｋΩの±５％以内の抵抗値としては、例えば４３７ｋΩ、４４２ｋΩ、４５３ｋΩ、４６４ｋΩ等がある。
【００３１】
電子機器２００は、抵抗検出回路２１０、Ｓ／Ｍ判定部２２０、及び音声制御部２３０を備える。
【００３２】
抵抗検出回路２１０は、変換アダプタ１００の出力端子１４１に接続され、出力端子１４１の抵抗を検出する。具体的には、抵抗検出回路２１０は、リファレンス電圧に接続されたプルアップ抵抗（図示略）を有し、この抵抗と出力端子１４１に接続された変換アダプタ１００の抵抗の分圧比による電位の値により、出力端子１４１の抵抗を検出する。
【００３３】
Ｓ／Ｍ判定部２２０は、例えばコンパレータ等からなり、抵抗検出回路２１０により検出された抵抗値を所定基準電圧と比較することで、接続機器３００の種別を判別する。ここでは、Ｓ／Ｍ判定部２２０は、ステレオヘッドセット接続／モノラルヘッドセット接続／未接続を判別する。
【００３４】
音声制御部２３０は、Ｓ／Ｍ判定部２２０により判定された判定結果に基づいて音声制御を行う。例えば、音声制御部２３０は、ステレオヘッドセット接続の場合、変換アダプタ１００の接続コネクタ１０１の音声入力端子１３１，１３２（Ｌｃｈ，Ｒｃｈ）に、ステレオ信号を出力する。また、音声制御部２３０は、モノラルヘッドセット接続の場合、ステレオ信号を混合してモノラル信号を作成し、変換アダプタ１００の接続コネクタ１０１の音声入力端子１３１（Ｌｃｈ）に、モノラル信号を出力する。また、音声制御部２３０は、上記ステレオヘッドセット接続／モノラルヘッドセット接続のいずれの場合も出力レベルを最適に調整する。さらに、音声制御部２３０は、未接続の場合、変換アダプタ１００の接続コネクタ１０１への音声出力を停止する。
【００３５】
以下、上述のように構成された変換アダプタ１００の使用方法について説明する。
【００３６】
電子機器２００は、変換アダプタ１００を介して任意の接続機器３００を接続することが可能である。上述したように、変換アダプタ１００は、ステレオ用／モノラル用の区別なく、両者を兼用している。また、変換アダプタ１００は、電子機器２００の接続のための接続コネクタ１０１の形状・ピン配置等の仕様と、接続機器３００の接続のための角型コネクタ１０３との形状・ピン配置等の仕様とが、それぞれ共通化されている。このため、変換アダプタ１００は、各種の電子機器２００と接続機器３００とを相互に接続することができる。
【００３７】
変換アダプタ１００は、第１の入力端子１２１及び第２の入力端子１２２のグランド接続の状態により、出力端子１４１にステレオヘッドセット接続／モノラルヘッドセット接続／未接続の各抵抗値を現す。具体的には、変換アダプタ１００は、出力端子１４１とグランドとの間で、以下の抵抗値を有する。
【００３８】
変換アダプタ１００は、第１の入力端子１２１及び第２の入力端子１２２がグランドに接続された場合、出力端子１４１とグランドとの間の抵抗値を、ステレオヘッドセット接続を示す第１の抵抗値とする。例えば、第１の抵抗値は、２８７ｋΩの±５％以内である。
【００３９】
変換アダプタ１００は、第１の入力端子１２１がグランドに接続され、第２の入力端子１２２がどこにも接続されない場合、出力端子１４１とグランドとの間の抵抗値を、第１の抵抗値より大きく、モノラルヘッドセット接続を示す第２の抵抗値とする。例えば、第２の抵抗値が、７９７ｋΩの±５％以内である。
【００４０】
変換アダプタ１００は、第１の入力端子１２１及び第２の入力端子１２２がどこにも接続されない場合、出力端子１４１とグランドとの間を、ヘッドセットの未接続を示す開放とする。
【００４１】
このように、変換アダプタ１００は、ステレオヘッドセット接続／モノラルヘッドセット接続／未接続の各抵抗値を有する。
【００４２】
電子機器２００は、上記変換アダプタ１００を介して汎用の接続機器３００を接続することが可能である。
【００４３】
抵抗検出回路２１０は、変換アダプタ１００の出力端子１４１に接続され、出力端子１４１の抵抗を検出する。
【００４４】
Ｓ／Ｍ判定部２２０は、抵抗検出回路２１０により検出された抵抗値を基に、接続機器３００が、ステレオヘッドセット接続／モノラルヘッドセット接続／未接続のいずれであるかを判別する。
【００４５】
音声制御部２３０は、Ｓ／Ｍ判定部２２０により判定された判定結果に基づいて音声制御を行う。
【００４６】
以上詳細に説明したように、本実施の形態によれば、変換アダプタ１００は、ステレオヘッドセット３１０又はモノラルヘッドセット３２０に接続可能な第１の入力端子１２１及び第２の入力端子１２２と、電子機器２００に接続可能な出力端子１４１とを備える。変換アダプタ１００は、第１の入力端子１２１及び第２の入力端子１２２がグランドに接続された場合、出力端子１４１とグランドとの間の抵抗値を、ステレオヘッドセット接続を示す第１の抵抗値とし、第１の入力端子１２１がグランドに接続され、第２の入力端子１２２がどこにも接続されない場合、出力端子１４１とグランドとの間の抵抗値を、第１の抵抗値より大きく、モノラルヘッドセット接続を示す第２の抵抗値とし、第１の入力端子１２１及び第２の入力端子１２２がどこにも接続されない場合、出力端子１４１とグランドとの間を、ヘッドセットの未接続を示す開放とする。
【００４７】
上記変換アダプタ１００を用いることにより、より少ない端子で、従来のヘッドセットをそのまま使用することができる。例えば、マイクロＵＳＢコネクタを有するステレオヘッドセット３１０又はモノラルヘッドセット３２０をそのまま使用することができる。また、電子機器２００は、複数種類の接続機器を出力端子１４１の１端子のみで判別することができ、接続コネクタ１０１の端子数を削減することができ、装置の小型化を図ることができる。
【００４８】
（実施の形態２）
実施の形態２は、スイッチが接続される端子を備える変換アダプタの例である。
【００４９】
図３は、本発明の実施の形態２に係る変換アダプタ４００の構成を示す回路図である。図３（ａ）は、変換アダプタ４００にステレオヘッドセット５１０を接続した場合、図３（ｂ）は、変換アダプタ４００にモノラルヘッドセット５２０を接続した場合の構成例である。図２と同一構成部分には同一符号を付して重複箇所の説明を省略する。
【００５０】
なお、変換アダプタ４００に接続可能なステレオヘッドセット５１０／モノラルヘッドセット５２０の外観は、図１と略同様である。
【００５１】
図３に示すように、ステレオヘッドセット５１０は、図２のステレオヘッドセット３１０に、さらにスイッチ５１１を備えるリモコン付ステレオヘッドセットである。同様に、モノラルヘッドセット５２０は、図２のモノラルヘッドセット３２０に、さらにスイッチ５２１を備えるリモコン付モノラルヘッドセットである。
【００５２】
変換アダプタ４００は、スイッチ５１１，５２１に接続可能な第３の入力端子４２３を備える。
【００５３】
[第３の入力端子４２３がグランドに接続された場合]
変換アダプタ４００は、第３の入力端子４２３が、スイッチ５１１，５２１の操作によってグランドに接続された場合、出力端子１４１とグランドとの間の抵抗値を、第１の抵抗値より小さく、スイッチ５１１，５２１の操作を示す第３の抵抗値とする。例えば、第３の抵抗値は、４７ｋΩの±５％以内である。
【００５４】
変換アダプタ４００は、一端が第１の入力端子１２１に接続され、抵抗値Ｒ３の第３抵抗器４０３と、一端が第２の入力端子１２２に接続され、抵抗値Ｒ４の第４抵抗器４０４と、一端が出力端子１４１に接続され、抵抗値Ｒ５の第５抵抗器４０５とを備え、第３抵抗器４０３の他端、第４抵抗器４０４の他端、及び第５抵抗器４０５の他端が接続される。
【００５５】
変換アダプタ４００は、第１の抵抗値をＲｓｔとし、第２の抵抗値をＲｍｏとすると、以下の関係がある。
【００５６】
Ｒｓｔ＝Ｒ５＋（Ｒ３×Ｒ４）／（Ｒ３＋Ｒ４）
Ｒｍｏ＝Ｒ５＋Ｒ３
変換アダプタ４００は、第３の抵抗値が、４７ｋΩの±５％以内であることが好ましい。
【００５７】
[第３の入力端子４２３が開放された場合]
変換アダプタ４００は、一端が第１の入力端子１２１に接続され、抵抗値Ｒ３の第３抵抗器４０３と、一端が第２の入力端子１２２に接続され、抵抗値Ｒ４の第４抵抗器４０４と、一端が出力端子１４１に接続され、抵抗値Ｒ５の第５抵抗器４０５とを備え、第３抵抗器４０３の他端、第４抵抗器４０４の他端、第５抵抗器４０５、及び第３の入力端子４２３の他端が接続される。
【００５８】
変換アダプタ４００は、第１の抵抗値をＲｓｔとし、第２の抵抗値をＲｍｏとし、第３の抵抗値をＲｓｗとすると、以下の関係がある。
【００５９】
Ｒｓｔ＝Ｒ５＋（Ｒ３×Ｒ４）／（Ｒ３＋Ｒ４）
Ｒｍｏ＝Ｒ５＋Ｒ３
Ｒｓｗ＝Ｒ５
本発明者によるシミュレーションによれば、変換アダプタ４００は、Ｒ３が、７５０ｋΩの±５％以内であり、Ｒ４が、３５３ｋΩの±５％以内であり、Ｒ５は、４７ｋΩの±５％以内であることが好ましいことが検証された。因みに、Ｒ４の３５３ｋΩの±５％以内の抵抗値としては、例えば３４８ｋΩ、３５７ｋΩ、３６０ｋΩ等がある。
【００６０】
以下、上述のように構成された変換アダプタ４００の使用方法について説明する。基本動作は、図１及び図２の変換アダプタ１００と同様である。
【００６１】
さらに、変換アダプタ４００は、スイッチ５１１，５２１に接続される第３の入力端子４２３のグランド接続／開放が加わる。
【００６２】
変換アダプタ４００は、第３の入力端子４２３が、スイッチ５１１，５２１の操作によってグランドに接続された場合、出力端子１４１とグランドとの間の抵抗値を、第１の抵抗値より小さく、スイッチ５１１，５２１の操作を示す第３の抵抗値とする。
【００６３】
また、変換アダプタ４００は、第３の入力端子４２３が開放された場合、一端が第１の入力端子１２１に接続され、抵抗値Ｒ３の第３抵抗器４０３と、一端が第２の入力端子１２２に接続され、抵抗値Ｒ４の第４抵抗器４０４と、一端が出力端子１４１に接続され、抵抗値Ｒ５の第５抵抗器４０５とを備え、第３抵抗器４０３の他端、第４抵抗器４０４の他端、第５抵抗器４０５、及び第３の入力端子４２３の他端が接続される。ここで、変換アダプタ４００は、第１の抵抗値をＲｓｔとし、第２の抵抗値をＲｍｏとし、第３の抵抗値をＲｓｗとすると、前述した関係がある。
【００６４】
このように、変換アダプタ４００は、第３の入力端子４２３グランド接続／開放のそれぞれにおいて、ステレオヘッドセット接続／モノラルヘッドセット接続／未接続の各抵抗値を有する。
【００６５】
電子機器２００は、実施の形態１と同様に、抵抗検出回路２１０が、出力端子１４１の抵抗を検出し、Ｓ／Ｍ判定部２２０が、抵抗検出回路２１０により検出された抵抗値を基に、接続機器３００が、ステレオヘッドセット接続／モノラルヘッドセット接続／未接続のいずれであるかを判別する。
【００６６】
音声制御部２３０は、Ｓ／Ｍ判定部２２０により判定された判定結果に基づいて音声制御を行う。
【００６７】
例えば、電子機器２００が、携帯型音楽プレーヤ等の携帯機器である場合には、スイッチ５１１，５２１操作による第３の入力端子４２３のグランド接続／開放に基づいて、携帯型音楽プレーヤ等が、音声入力端子１３１，１３２に出力する音声信号としての音楽について、再生開始／停止、再生曲送り／再生曲早送り／再生曲巻戻し等の変化を加えることができる。
【００６８】
また、電子機器２００が、携帯電話機等の携帯通信機器である場合には、スイッチ５１１，５２１操作による第３の入力端子４２３のグランド接続／開放に基づいて、通話開始／終了制御を実行する。すなわち、通話開始により音声入力端子１３１，１３２に通話音声を出力するようにし、通話終了により出力中の通話音声の出力を中止するようにすることでき、携帯電話機等が音声入力端子１３１，１３２に出力する音声信号を変えることができる。
【００６９】
以上のように、本実施の形態によれば、変換アダプタ４００は、さらに、スイッチ５１１，５２１に接続される第３の入力端子４２３を備えているので、実施の形態１の効果、すなわち複数種類の接続機器をより少ない端子で検出し、かつ汎用的に接続・使用することができることに加えて、スイッチ５１１，５２１操作により、音楽再生開始／停止、通話開始／終了制御等の各制御を実行することができる。
【００７０】
本実施の形態では、第３の入力端子４２３を備える変換アダプタについて説明したが、変換アダプタは、第３の入力端子４２３を備えない場合もあり得る。その場合、変換アダプタは、第３抵抗器４０３、第４抵抗器４０４、及び第５抵抗器４０５を前述のように備えることで、実施の形態１と同様な効果を有する。すなわち、複数種類の接続機器をより少ない端子で検出し、かつ汎用的に接続・使用することができる。
【００７１】
また、接続コネクタ１０１は、実施の形態１、２を通してマイクロＵＳＢ規格のコネクタとしたが、これに限らず、ＵＳＢ  Ａ（Standard-A）規格のコネクタ、ＵＳＢ  Ｂ（Standard-B）規格のコネクタ、あるいはミニＵＳＢ規格のコネクタ等のＵＳＢ規格に準じたコネクタであってもよい。
【００７２】
以上の説明は本発明の好適な実施の形態の例証であり、本発明の範囲はこれに限定されることはない。
【００７３】
上記各実施の形態では、変換アダプタ、電子機器、及び電子機器システムという名称を用いたが、これは説明の便宜上であり、変換コネクタ、変換ケーブル、携帯通信端末、制御システム等であってもよいことは勿論である。
【００７４】
さらに、上記変換アダプタを構成する各部、例えば抵抗器、コネクタ端子の種類・材質、その数及び接続方法などはどのようなものでもよい。また、電子機器及び接続機器の種類は適宜変更が可能である。
【産業上の利用可能性】
【００７５】
本発明に係る変換アダプタ、電子機器、及び電子機器システムは、ヘッドセット等の接続機器と携帯電話機・ＰＤＡ等の携帯端末を接続する変換アダプタに汎用に適用可能である。また、パーソナルコンピュータ又はその融合された装置、さらにはＭＰ３プレーヤ、ＨＤＤプレーヤ、携帯型ゲーム機などの携帯機器に適用可能である。
【符号の説明】
【００７６】
１００，４００  変換アダプタ
１００ａ  変換アダプタ本体
１０１  接続コネクタ
１０２  ケーブル
１０３  角型コネクタ
１１１，１１２  音声出力端子
１２１  第１の入力端子
１２２  第２の入力端子
１３１，１３２  音声入力端子
１４１  出力端子
１５１  第１抵抗器
１５２  第２抵抗器
２００  電子機器
３００  接続機器
３１０，５１０  ステレオヘッドセット
３２０，５２０  モノラルヘッドセット
３１１，３２１  角型コネクタ
３１２  ステレオイヤホン
３１３，３２３  イヤホンマイク
３２２  モノラルイヤホン
４０３  第３抵抗器
４０４  第４抵抗器
４０５  第５抵抗器
４２３  第３の入力端子
５１１，５２１  スイッチ
【図１】
2011223313.tif 000003
【図２】
2011223313.tif 000004
【図３】
2011223313.tif 000005